(57)【要約】【課題】  サポーターの生地の内面に形成の粒状突起物により筋肉に適宜の刺激を与えて癒し、肌の弱い人がでも皮膚が負けることのないサポーターを提供する。【解決手段】  編地からなる筒状のサポーター１を二重構造の外側の生地２と内側の生地３とから形成し、この二重構造の生地の少なくともいずれか一方の生地の内面に合成ゴム又は合成樹脂からなる複数個の粒状突起物４を形成し、他方の生地で覆って形成した複数個の粒状突起物４を肌に直接触れないものとして皮膚への刺激による障害を軽減させ、その上部をリブ編地７からなるはき口６とし、その下部をリブ編地９からなる止め口８および内側の止め口１２とした肢体の保護用のサポーター１。【選択図】      図１
0003115600.tif 000002
【実用新案登録請求の範囲】
【請求項１】
編地からなる筒状のサポーター１の生地を同じ形状の二重構造の外側の生地２と内側の生地３とから形成し、この二重構造の生地の少なくともいずれか一方の生地の内面に合成ゴム又は合成樹脂からなる複数個の粒状突起物４を形成し、その内面を他の一方の生地の内面側で覆い、形成した複数個の粒状突起物４を肌に直接触れないものとして皮膚への障害を軽減させていることを特徴とする肢体を保護するためのサポーター１。
【請求項２】
粒状突起物４の大きさは、その径が３〜９ｍｍ、高さが０．５〜２．５ｍｍの偏平な突起物からなることを特徴とする請求項１に記載の肢体を保護するためのサポーター１。
【請求項３】
粒状突起物４を形成する合成樹脂は、シリコン樹脂、アクリル樹脂などの合成樹脂からなり、この合成樹脂中にゲルマニウム、チタン、その他の遠赤外線放出性物質の粉状鉱物若しくは磁石含有粒状物４ｂを配合率３０％以内で含有して生地の内面に形成されていることを特徴とする請求項１又は２に記載の肢体を保護するためのサポーター１。
【請求項４】
外側の生地に形成の粒状突起物４は、内側の生地に形成の粒状突起物４は同一個所で重ならないようにずらして配列したことを特徴とする請求項１〜３のいずれか１項に記載の肢体を保護するためのサポーター１。
【請求項５】
サポーター１の内側の生地３は、外側の生地２よりも薄い編地からなり、肌に触れる生地の部分を少なくして皮膚呼吸を妨げないものとするために編地を凹凸のある編地としていることを特徴とする請求項１〜４のいずれか１項に記載の肢体を保護するためのサポーター１。
【請求項６】
サポーター１の筒状の編地は、上辺を折り返した筒状のリブ編地７からなる生地を滑り落ち止め用のはき口６とし、この筒状のはき口６の折り返したリブ編地７の外側および内側のそれぞれに外側の中央部の編地５ａおよび内側の中央部の編地５ｂを吊り下げて配設し、これらの外側の中央部の編地５ａおよび内側の中央部の編地５ｂのそれぞれに筒状のリブ編地９を接続して止め口８および内側の止め口１２とし、これらの筒状の外側の生地２のリブ編地９の止め口８と内側の止め口１２との間をフリーに開放していることを特徴とする請求項１〜５のいずれか１項に記載の肢体を保護するためのサポーター１。
【考案の詳細な説明】
【技術分野】
【０００１】
この考案は身体の腕や脚を通して巻き付けて筋肉や関節や急所を引き締めて保護するための伸縮性の素材から編んだり織った生地から形成のサポーター、あるいは手足のほかに胴に巻く腹巻や身体に着用するシャツやショーツなどからなる肢体を保護するためのサポーターに関する。
【背景技術】
【０００２】
従来の身体の腕や脚を通して巻き付けて筋肉や関節や急所を保護するサポーターでは、サポーターの生地の内面の肌に直接触れる部分に、シリコン樹脂などの合成樹脂の粒状突起物を転写などにより形成して有するものがある。このサポーターはこれを巻き付けている腕や脚の筋肉や関節のつぼに粒状突起物の加圧による刺激を与えることで、筋肉や関節の痛みを緩和する効果をもたらすものである。
【０００３】
ところで、このようにサポーターの生地の内面の肌に直接触れる部分にシリコン樹脂などの合成樹脂の粒状突起物を形成して有するものは、この合成樹脂が皮膚に触れることで、肌の皮膚呼吸を妨げることとなる。この結果、肌の敏感な人や皮膚への刺激物に弱い人などは、使用中に汗をかいたりすると、その部分が赤く腫れたり、かゆくなったりする。
【０００４】
従来のサポーターとして、身体に磁気作用を与えるため、衣類やサポーターやコルセットになどの装着具に合成樹脂材に磁性粉を混入して可撓性を有する磁性体を配設したものが出願され開示されている（例えば、特許文献１参照。）。しかし、このものは衣類に設けた収納部に磁性粉を熱可塑性樹脂で固めた磁石体を収納しているに過ぎず、この磁石体の突状から受ける圧迫感や刺激による疼痛については全く考慮されておらず、このものでは皮膚の刺激に弱い人は、その当接した部分が赤く腫れたり、かゆくなったりする場合が生じる恐れがあった。
【０００５】
【特許文献１】特開２００４−２０８８３４号公報
【考案の開示】
【考案が解決しようとする課題】
【０００６】
本考案が解決しようとする課題は、身体の腕や脚の周囲に通して筋肉や関節や急所の部分を保護するサポーターの生地の内面にシリコン樹脂などの合成樹脂の粒状突起物のツブツブを樹脂の転写などにより形成し、さらに磁石粒を含有させて形成したものにおいて、仮に肌が敏感で皮膚の弱い人がこれらのサポーターを使用しても、肌に赤く腫れたり、かゆくなったりすることのない、サポーターを提供することである。
【課題を解決するための手段】
【０００７】
この考案が解決するための手段は、第１の手段では、着用したときに皮膚へ与える障害を取り除くために、編地からなるサポーター１の生地を同じ形状の二重構造の外側の生地２と肌に触れる内側の生地３とからなる筒状の編物としている。この二重構造の生地の少なくともいずれか一方の生地に、例えば、外側の生地２の内面にシリコン樹脂などの合成樹脂の粒状突起物４のツブツブを樹脂転写などにより形成して有する肢体を保護するためのサポーター１である。
【０００８】
第２の手段では、さらに粒状突起物４を磁石粒を含有させて磁石含有粒状突起物４ｂに形成したものとし、さらにそれらの粒状突起物４のツブツブを内側の生地３で覆うものとして、シリコン樹脂などの合成樹脂の粒状突起物４のツブツブや磁石粒などが肌に直接触れないものとして皮膚への障害を軽減させている肢体を保護するためのサポーター１である。この場合、粒の大きさは、その径が３〜９ｍｍ、高さが０．５〜２．５ｍｍの偏平なものとする。勿論、この径や厚みに明確に限定されるものでないが、その下限値よりも小さいと刺激による効果は小さく、さらに上限値より大きいと、刺激が強すぎて痛みを覚えたり、また運動機能を阻害する。
【０００９】
第３の手段では、上記のサポーター１において、内側の生地３はその内面にも合成ゴム、シリコン樹脂、アクリル樹脂などの合成樹脂に天然鉱物のゲルマニウム、チタン、その他の遠赤外線放出鉱石粉の粒状突起物４のツブツブを合成樹脂の転写などにより形成し、さらに磁石含有粒状物４ｂを含有させて形成したものとし、これら天然鉱物を合成樹脂に配合することで遠赤外線や磁気による皮膚への癒し効果が付与され、それらの合成樹脂中の配合率は３０％以内とした肢体を保護するためのサポーター１である。この合成樹脂中天然鉱物の配合率が０％の場合でも、ツブツブによる刺激を皮膚に及ぼすことで筋肉をいやす効果を発揮させることが出来る。
【００１０】
第４の手段では、外側の生地２に形成した粒状突起物４のツブツブと内側の生地３に形成した粒状突起物４を同一個所に重ならないようにずらして配列して形成した肢体を保護するためのサポーター１である。
【００１１】
第５の手段では、上記のサポーター１において、内側の生地３は外側の生地２よりも薄い編地とし、かつ、肌に触れる生地の部分を少なくして皮膚呼吸を妨げないものとするために編地を凹凸のある編地とした肢体を保護するためのサポーター１である。このサポーター１の身体への着用箇所に応じて粒状突起物のツブツブの配列は適宜に決めている。
【００１２】
第６の手段では、上記のサポーター１において、筒状の編物は二重構造の外側の生地２および内側の生地３の上辺を折り返した筒状のリブ編地７からなる編地を滑り落ち止め用のはき口６として接続し、この筒状のはき口６として折り返したリブ編地７の外側および内側のそれぞれに外側の中央部の編地５ａおよび内側の中央部の編地５ｂを吊り下げ、この外側の中央部の編地５ａおよび内側の中央部の編地５ｂにさらにリブ編地９からなる止め口８および内側の止め口１２をそれぞれ接続し、かつ、筒状の外側のリブ編地９の止め口８の下辺と内側の止め口１２の下辺をフリーに開放した肢体を保護するためのサポーター１である。このように内側の止め口１２の下辺と外側のリブ編地９の止め口８の下辺は互いにフリーに開放されているので、この二重構造のサポーター１の下部の開放された止め口８および内側の止め口１２の間に、筋肉の疲れをいやす保温材あるいは冷却湿布材などを簡単に挿入して保持することができる。
【考案の効果】
【００１３】
この考案は、上記の構想とすることにより、単にサポーターの筋肉のサポート機能に加えて、直接粒状物が肌に触れないようにして皮膚への刺激を緩和して適度の刺激を加え、特に遠赤外線や磁力線を加えることで、皮膚への癒し効果を付与し、さらに従来品の一重の編地からなるサポーターで出し得なかった筋肉の引き締め効果を高め、さらに二重の編地とすることで一重の編地では得られなかった運動性能の向上を図って軽い運動が楽に行えるものとし、さらに二重の生地の下辺部の間を開放し、それらの下辺部の間に筋肉の疲れや痛みをいやす保温材あるいは冷却材や湿布材などを簡単に挿入できるなど、従来にない優れた効果を奏するものである。
【考案を実施するための最良の形態】
【００１４】
図面を参照して本考案を説明する。図１は本考案の一実施の形態である、腕の肘部の周辺に適用するサポーター１を示し、肘部側から見た図である。図２はサポーター１の肘窩側から見た図である。図３は上記のサポーター１を裏返して内側の生地３を外に裏返して示す図である。図４は上記のサポーター１の外側の生地２の内面を模式的に示すため、上記２のように裏返したサポーター１の外側の生地の内面の肘部１０の側から見た図である。
【００１５】
上記の実施の形態の、例えば、腕の肘の周囲に適用するサポーター１は、編地からなる筒状のサポーター１の生地を同じ形状の二重構造の外側の生地２と内側の生地３とから形成している。その大きさは、肘部をサポートするものでは、腕に通して落ちない径からなり、長さは上腕部の中程から肘部を経て下腕部の中程までの長さとする。これらの二重構造の生地２、３の少なくともいずれか一方の生地の内面に、例えば外側の生地２の内面２ａに合成ゴム又は合成樹脂からなる複数個の粒状突起物４を形成して有する。こ複数個の粒状突起物４を形成した一方の生地の内面、例えば、外側の生地２の内面２ａを、他の一方の生地の内面、例えば内側の生地３の内側にした内面３ａで覆うものとしている。このように、外側の生地２の内面２ａに形成した複数個の粒状突起物４と肌との間に内側の生地３を介在させているので、このサポーター１を装着している肌に粒状突起物４が直接に触れることはない。したがってこのサポーター１は粒状突起物４による皮膚への刺激が緩和され、肌に生じる痛みや刺激による障害が軽減される。この場合、内側の生地３は表側の生地２のように厚い生地でなく薄いものとして、粒状突起物４の効果を阻害しすぎないものとしている。
【００１６】
この考案における粒状突起物４は、上記の例のように外側の生地２にのみ形成されるものではなく、内側の生地３の内面３ａに形成することも勿論できる。従って外側の生地２と内が差の生地３との両者にこれらの粒状突起物４を形成することもでき、この場合には、外側に形成の粒状突起物４は、内側の生地に形成の粒状突起物４は同一個所で重ならないようにずらして配列し、着用した肌に刺激を強く与えすぎないものとする。
【００１７】
このサポーター１の生地の編地はポリウレタン繊維やポリエステル繊維やナイロン繊維などからなる伸張性のある編地から形成されている。この筒状のサポーター１は上記のように外側の生地２と内側の生地３からなっているが、これらの生地２、３はそれぞれ上辺部のはき口６のリブ編地７の部分と中央部の編地５の本体部と下辺部の止め口８のリブ編地９の部分からなっている。このはき口６はリブ編地７とすることで滑り落ち止め用として装着する腕に確実に係止される。
【００１８】
肘の外側である肘部１０の側から見たサポーター１を図１により、また、肘の内側である肘窩部１１の側から見たサポーター１を図２により、それぞれ説明する。この例のサポーター１は腕の肘部に通して使用するもので、上腕部の部分に位置させるはき口６をゴム編みなどのリブ編地７から形成する。この外側の生地２であるゴム編みのリブ編地７は上辺６ａで折り返されて下辺６ｂで係止され二重に形成されている。さらに図１に示すように、このサポーター１の表側の生地２の肘部１０の側では、外側の生地２のリブ編地７に接続された外側の中央部の編地５ａがトリコット編からなる部分が本体中央部に腕の肘と当接する円形部分の肘部１０として平編などの伸縮性のより高い編地形成され、やや外側に膨れて運動性能を高めたものとなっている。この円形部分の周囲には、図１に見られるように、外側の中央部の編地５ａの内面に磁性体の粒子を有する合成樹脂のやや大きな粒状突起物４を転写して付着しているので、その合成樹脂の円形の姿が外からにじんで見えている。さらに外側の中央部の編地５ａの下部には、下腕部に位置させる止め口８をゴム編みなどのリブ編地９から形成して接続している。このリブ編地９は止め口８の下辺８ａで折り返されて上辺８ｂで係止され二重に形成されている。
【００１９】
さらに図２に示すサポーター１の表側の生地２の肘窩部１１の側では、上腕部の部分に位置させるはき口６を、上記と同様に、ゴム編みなどのリブ編地７を有する。このはき口６に続いてトリコット編からなどからなる本体中央部に肘の内側の肘窩を有する中央部の編地５ａを配設している。さらにこの中央部の編地５ａの腕の肘窩の部分が当接する部分に矩形状の幅方向にやや収縮した編地からなる肘窩部１１を配設し、腕の折曲げを容易なものとしている。さらに上記したように、この中央部の編地５ａの下部に接続して下腕部の部分に位置する止め口８をゴム編みなどのリブ編地９から形成している。
【００２０】
このサポーター１の内側を分かり易く説明するために、サポーター１の裏返した状態を図３に示す。この裏返したサポーター１の上腕部に嵌めるはき口６は上辺６ａで折り返された表側と一体化されたゴム編みなどのリブ編地７からなっている。このはき口６の下辺６ｂに内側の中央部の編地５ｂが接続されている。この内側の中央部の編地５ｂは、外側の中央部の編地５ａの内面に形成した粒状突起物４が装着した腕の皮膚に直接触れないようにするための生地であるので、外側の中央部の編地５ａよりも薄い編地の生地からなるものとし、しかも、粒状突起物４による有効な刺激を殺すことのない薄さのトリコットなどの編地からなるものとする。この内側の中央部の編地５ｂの下端部は二重に薄い編地からなる内側の止め口１２に形成している。さらに、この内側に形成する生地３を薄い生地の編地で凹凸のある編地とすることで、肌に触れる生地の部分を少なくして皮膚呼吸を妨げないものとすることもできる。
【００２１】
サポーター１の外側の生地２の内面の肘部１０の側を見せるために、サポーター１を裏返し、さらに、内側の生地３を外側の生地２の内面２ｂの止め口６の下辺６ｂから図の右方に折り返し、外側の生地の内面２ａの肘部１０の側を図４に示している。外側の生地の内面２ａの中央部の編地５ａは、その中央部の肘部１０の周囲に複数個の粒状突起物４が例えばシリコン樹脂あるいはアクリル樹脂などの合成樹脂若しくは合成ゴムなどから転写により形成され、放射状に配列されている。それらの複数の粒状突起物４は例えば径３ｍｍで高さ０．８ｍｍの多数の樹脂粒状物４ａと、樹脂粒状物の中に径３．５ｍｍで高さ１ｍｍの磁石を含有する径８ｍｍで高さが２ｍｍの数個の磁石含有粒状物４ｂから形成されている。このうち磁石含有粒状物４ｂは肘部１０の周囲の四箇所に配設されている。この磁石含有粒状物４ｂに含有されている磁石はネオジム磁石からなるもので強力な磁束密度を有するものである。
【００２２】
上記の例では、複数の粒状突起物４として数個の磁石含有粒状物４ｂを有するが、この磁石含有粒状物４ｂを全く含まず、多数の樹脂粒状物４ａのみからなるものとすることもでき、逆に磁石含有粒状物４ｂの個数の割合を増やしたものとすることもできる。さらに複数の粒状突起物４はそれを形成する合成樹脂中にゲルマニウム、チタン、その他の遠赤外線放出性物質の粉状鉱物を含有したものとすることもできる。このように遠赤外線放出物質を含んだ粒状突起物４を形成することで、身体に装着したとき、ツブツブの刺激に加えて放出される遠赤外線が装着した身体の部分を温める複合効果をもたらす。これらの遠赤外線放出性物質の粉状鉱物若しくは磁石含有粒状物を配合率は３０％以内とする。これよりも多く含有させても短時間であれば、身体に悪影響を与えることはないが、長時間の安全を確保するために十分な安全を見込んで３０％以下とする。
【００２３】
これらの本考案のサポーター１は外側の生地２と内側の生地３の二重構造から形成され、外側の生地２に形成の止め口８と内側の生地３に形成の内側の止め口１２の部分の間が開放されている。従ってこの開放された外側の生地２に形成の止め口８と内側の生地３に形成の内側の止め口１２の間に筋肉の疲れを癒す保温材あるいは冷却湿布材などを簡単に挿入して挟持して保持することができる。
【００２４】
以上の実施の形態は、腕の肘部に装着するサポーター１であるが、脚の膝部に装着するサポーター１や足のくるぶしの部分に装着するサポーター１とすることもでき、それぞれの脚の太さに適応する径と長さの大きさのものとする。さらに腕や脚に限らず、腹巻のように胴部に適応する大きさとしたサポーター１とすることもできる。
【図面の簡単な説明】
【００２５】
【図１】本考案の一実施の形態である、腕の肘部の周辺に適用するサポーター１を示し、肘部側から見た図である。
【図２】サポーター１の肘窩側から見た図である。
【図３】サポーター１を裏返して内側の生地３を外に裏返して示す図である。
【図４】サポーター１の外側の生地２の内面を模式的に示すため、上記２のように裏返したサポーター１の外側の生地の内面の肘部１０の側から見た図である。
【符号の説明】
【００２６】
１  サポーター
２  外側の生地
２ａ  内面
３  内側の生地
３ａ  内面
４  粒状突起物
４ａ  樹脂粒状物
４ｂ  磁石含有粒状物
５  中央部の編地
５ａ  外側の中央部の編地
５ｂ  内側の中央部の編地
６  はき口
６ａ  上辺
６ｂ  下辺
７  リブ編地
８  止め口
８ａ  下辺
８ｂ  上辺
９  リブ編地
１０  肘部
１１  肘窩部
１２  内側の止め口
【図１】
0003115600.tif 000003
【図２】
0003115600.tif 000004
【図３】
0003115600.tif 000005
【図４】
0003115600.tif 000006